(57)【要約】【課題】強度を有した発光素子を有する画像読み取り装置等を提供する。【解決手段】発光素子５５は、矩形状且つ平板状に形成された基板６０と、基板６０に面状に形成された発光部６１とを備える。発光部６１は、副走査方向において、基板６０の一端部側における第１の長尺領域６０ａに形成される第１の発光領域６１ａと、この第１の発光領域６１ａとは所定の間隙をおいて配置され基板６０の他端部側における第２の長尺領域６０ｂに形成される第２の発光領域６１ｂとを備える。また、発光素子５５には、第１の発光領域６１ａと第２の発光領域６１ｂとの間、および、第３の発光領域６１ｃと第４の発光領域６１ｄとの間に、基板６０により構成される光透過性領域６４が形成される。【選択図】図２
2009147404.tif 000002
【特許請求の範囲】
【請求項１】
原稿に対して光を照射する板状の発光素子と、
前記発光素子による前記原稿の反射光を受光するセンサと、を備え、
前記発光素子は、
光透過性領域を有する基板と、
前記基板の一端部側に長尺状に形成される第１の発光領域と、
前記基板の他端部側に形成され、前記第１の発光領域との間に所定の間隙を有し長尺状に形成される第２の発光領域と、
前記所定の間隙と前記基板の前記光透過性領域とにより形成され、前記反射光の光路となるスリット領域と、
を備えたことを特徴とする画像読み取り装置。
【請求項２】
電圧の印加により発光を行う前記第１の発光領域および前記第２の発光領域は、共通の電極を有することを特徴とする請求項１記載の画像読み取り装置。
【請求項３】
前記基板は、略矩形状に形成されていることを特徴とする請求項１記載の画像読み取り装置。
【請求項４】
前記基板の清掃を行う清掃手段を更に備えることを特徴とする請求項１記載の画像読み取り装置。
【請求項５】
駆動源を有し、前記発光素子を移動させることで前記センサによる前記原稿の読み取り位置を副走査方向に移動させる走査手段を更に備え、
前記清掃手段は、前記走査手段により移動する前記発光素子の前記基板に接触可能な接触部材により構成されることを特徴とする請求項４記載の画像読み取り装置。
【請求項６】
長尺状に光透過性領域を形成する基板と、当該基板の当該光透過性領域の両側に形成される発光領域と、を有するＥＬ素子と、
前記ＥＬ素子による原稿からの反射光であって前記光透過性領域を透過した光を受光するセンサと、
を含む画像読み取り装置。
【請求項７】
前記ＥＬ素子および前記センサを内部に収納する筐体を更に備え、
前記筐体は、前記ＥＬ素子における前記基板の清掃を当該筐体の外部から可能とする開口を備えることを特徴とする請求項６記載の画像読み取り装置。
【請求項８】
前記開口は、前記筐体の所定位置に設けられ搬送される原稿の画像を読み取る際に用いられるプラテンガラスを当該所定位置とは異なる位置に移動させることで形成されることを特徴とする請求項７記載の画像読み取り装置。
【請求項９】
前記ＥＬ素子は、前記センサおよび当該センサに前記原稿の反射光を導くミラーを内部に備え当該原稿の画像を読み取る読み取りユニットに取り付けられることを特徴とする請求項６記載の画像読み取り装置。
【請求項１０】
光透過性領域を有する基板と、
前記基板上の第１の長尺領域に形成される第１の発光領域と、
前記基板上であって前記第１の長尺領域から所定の間隙を有した略平行位置である第２の長尺領域に形成される第２の発光領域と、
前記所定の間隙にて前記基板の前記光透過性領域によって形成されるスリット領域と、
を備えたことを特徴とする発光素子。
【発明の詳細な説明】
【技術分野】
【０００１】
本発明は、原稿の画像を読み取る画像読み取り装置等に関する。
【背景技術】
【０００２】
照明ユニットのコンパクト化を図るため、２つの発光領域が原稿に対して対向しており、且つ両発光領域の挟間部がスリット形状であり、原稿の反射光を透過して反射ミラーに導出する平面光源を備えた原稿読取装置が提案されている（例えば、特許文献１参照）。
【０００３】
【特許文献１】特開２０００−１１５４７０号公報
【発明の開示】
【発明が解決しようとする課題】
【０００４】
ところで、ＥＬ素子などの発光素子では、例えば反射光の光量を十分に確保するために、その形状を例えばコの字状とし、原稿からの反射光の光路となる領域に基板などの部材が配置されない構成を採用することができるが、かかる場合には、形状が複雑化し発光素子の強度が低下するおそれがある。
本発明の目的は、強度を有した発光素子を有する画像読み取り装置等を提供することにある。
【課題を解決するための手段】
【０００５】
請求項１に記載の発明は、原稿に対して光を照射する板状の発光素子と、前記発光素子による前記原稿の反射光を受光するセンサと、を備え、前記発光素子は、光透過性領域を有する基板と、前記基板の一端部側に長尺状に形成される第１の発光領域と、前記基板の他端部側に形成され、前記第１の発光領域との間に所定の間隙を有し長尺状に形成される第２の発光領域と、前記所定の間隙と前記基板の前記光透過性領域とにより形成され、前記反射光の光路となるスリット領域と、を備えたことを特徴とする画像読み取り装置である。
請求項２に記載の発明は、電圧の印加により発光を行う前記第１の発光領域および前記第２の発光領域は、共通の電極を有することを特徴とする請求項１記載の画像読み取り装置である。
請求項３に記載の発明は、前記基板は、略矩形状に形成されていることを特徴とする請求項１記載の画像読み取り装置である。
請求項４に記載の発明は、前記基板の清掃を行う清掃手段を更に備えることを特徴とする請求項１記載の画像読み取り装置である。
請求項５に記載の発明は、駆動源を有し、前記発光素子を移動させることで前記センサによる前記原稿の読み取り位置を副走査方向に移動させる走査手段を更に備え、前記清掃手段は、前記走査手段により移動する前記発光素子の前記基板に接触可能な接触部材により構成されることを特徴とする請求項４記載の画像読み取り装置である。
【０００６】
請求項６に記載の発明は、長尺状に光透過性領域を形成する基板と、当該基板の当該光透過性領域の両側に形成される発光領域と、を有するＥＬ素子と、前記ＥＬ素子による原稿からの反射光であって前記光透過性領域を透過した光を受光するセンサと、を含む画像読み取り装置である。
請求項７に記載の発明は、前記ＥＬ素子および前記センサを内部に収納する筐体を更に備え、前記筐体は、前記ＥＬ素子における前記基板の清掃を当該筐体の外部から可能とする開口を備えることを特徴とする請求項６記載の画像読み取り装置である。
請求項８に記載の発明は、前記開口は、前記筐体の所定位置に設けられ搬送される原稿の画像を読み取る際に用いられるプラテンガラスを当該所定位置とは異なる位置に移動させることで形成されることを特徴とする請求項７記載の画像読み取り装置である。
請求項９に記載の発明は、前記ＥＬ素子は、前記センサおよび当該センサに前記原稿の反射光を導くミラーを内部に備え当該原稿の画像を読み取る読み取りユニットに取り付けられることを特徴とする請求項６記載の画像読み取り装置である。
請求項１０に記載の発明は、光透過性領域を有する基板と、前記基板上の第１の長尺領域に形成される第１の発光領域と、前記基板上であって前記第１の長尺領域から所定の間隙を有した略平行位置である第２の長尺領域に形成される第２の発光領域と、前記所定の間隙にて前記基板の前記光透過性領域によって形成されるスリット領域と、を備えたことを特徴とする発光素子である。
【発明の効果】
【０００７】
本発明の請求項１によれば、本発明を採用しない場合に比べ、強度を有した発光素子を有する画像読み取り装置を提供することができる。
本発明の請求項２によれば、例えば第１の発光領域および第２の発光領域に電力を供給する電源ケーブルの共用化が可能となる。
本発明の請求項３によれば、本発明を採用しない場合に比べ基板の強度を増すことができ、これにより発光素子の強度も増すことができる。
本発明の請求項４によれば、本発明を採用しない場合に比べ、センサにて受光される反射光の光量低下を抑制することができる。
本発明の請求項５によれば、別途駆動源を設けずとも基板の清掃を行うことが可能となる。
【０００８】
本発明の請求項６によれば、本発明を採用しない場合に比べ、強度を有したＥＬ素子を有する画像読み取り装置を提供することができる。
本発明の請求項７によれば、基板に付着した埃などの除去が可能となり、センサにて受光される反射光の光量低下を抑制することができる。
本発明の請求項８によれば、筐体の他の箇所に開口を形成する場合に比べ、開口を簡易に形成することができる。
本発明の請求項９によれば、埃等が進入しうる領域に基板が配置されているため、読み取りユニット内部への埃等の進入を抑制することができる。
本発明の請求項１０によれば、本発明を採用しない場合に比べ、強度を有しまた位置決めを簡易に行うことが可能な発光素子を提供することができる。
【発明を実施するための最良の形態】
【０００９】
以下、添付図面を参照して、本発明を実施するための最良の形態(以下、実施の形態という)について詳細に説明する。
―第１の実施形態―
図１は、第１の実施形態が適用される画像読み取り装置１の構成例を示す図である。同図に示す画像読み取り装置１では、固定された原稿の画像を読み取ることが可能であるとともに、搬送される原稿の画像を読み取ることも可能となっている。そして、この画像読み取り装置１は、積載された原稿束から原稿を順次搬送する原稿送り装置１０と、スキャンによって画像を読み込む読み取り装置５０とを備えている。
【００１０】
原稿送り装置１０は、複数枚の原稿からなる原稿束を積載する原稿積載部１１、この原稿積載部１１の下方に設けられ、読み取りが終了した原稿を積載する排紙積載部１２を備える。また、原稿送り装置１０は、原稿積載部１１の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路３１には、原稿搬送方向上流側から順に、プレレジロール１５、レジロール１６、プラテンロール１７、およびアウトロール１８が設けられる。また、原稿送り装置１０の内部には、ＣＩＳ(Contact Image Sensor)ユニット８０が設けられている。
【００１１】
プレレジロール１５は、一枚ずつに捌かれた原稿を下流側のロールに向けて搬送すると共に原稿のループ形成を行う。レジロール１６は、回転を一旦停止した後にタイミングを合わせて回転を再開し、後述する原稿読み取り部に対してレジストレーション調整を施しながら原稿を供給する。プラテンロール１７は、読み取り装置５０にて読み込み中の原稿搬送をアシストする。アウトロール１８は、読み取り装置５０にて読み込まれた原稿をさらに下流に搬送する。また、アウトロール１８よりも原稿搬送方向下流側には、原稿を排紙積載部１２に導くための第２搬送路３２が設けられる。この第２搬送路３２には、排出ロール１９が設けられる。
【００１２】
さらに、この画像読み取り装置１では、原稿の両面に形成された画像を１プロセスで読み取ることができるよう、アウトロール１８の出口側とプレレジロール１５の入口側との間に第３搬送路３３が設けられている。なお、上述した排出ロール１９は、原稿を第３搬送路３３に反転搬送する機能も有している。
さらにまた、この画像読み取り装置１には、原稿の両面読み取りを行った際、その排出時に原稿を再度反転させて排紙積載部１２に排出するための第４搬送路３４が設けられている。この第４搬送路３４は、第２搬送路３２の上部側に設けられている。そして、上述した排出ロール１９は、原稿を第４搬送路３４に反転搬送する機能も有している。
【００１３】
一方、読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、画像を読み込むべき原稿を静止させた状態で載置する第１プラテンガラス５２Ａ、原稿送り装置１０によって搬送される原稿を読み取るための光の開口部を有する第２プラテンガラス５２Ｂを備えている。ここで、第２プラテンガラス５２Ｂは、例えば長尺の板状構造をなす透明なガラスプレートで構成される。
【００１４】
また、読み取り装置５０は、第２プラテンガラス５２Ｂの下に静止し、あるいは第１プラテンガラス５２Ａの全体にわたってスキャンして画像を読み込むフルレートキャリッジ５３、フルレートキャリッジ５３から得られた光を結像部へ供給するハーフレートキャリッジ５４を備えている。フルレートキャリッジ５３には、原稿に光を照射する板状の発光素子５５および原稿から得られた反射光を反射する第１ミラー５７Ａが設けられている。さらに、ハーフレートキャリッジ５４には、第１ミラー５７Ａから得られた光を結像部へ提供する第２ミラー５７Ｂおよび第３ミラー５７Ｃが設けられている。また、読み取り装置５０は、ハーフレートキャリッジ５４および発光素子５５を備えたフルレートキャリッジ５３を、副走査方向に移動させるモータ等の駆動源（不図示）を備えている。この駆動源は、走査手段の１つして機能している。
【００１５】
ここで、図２を用いて発光素子５５について詳細に説明する。図２は、本実施形態における発光素子５５を示したものである。本実施形態における発光素子５５は、所謂エレクトロルミネッセンスランプ（ＥＬランプ（ＥＬ素子））により構成されている。より詳細に説明すれば、本実施形態における発光素子５５は、同図（ａ）に示すように、矩形状且つ平板状に形成された基板６０と、基板６０に面状に形成された発光部６１とを備える。
【００１６】
発光部６１は、既存の技術を用いて構成することができ、例えば、基板６０側に配置されるとともに透明に形成され光透過性を有する第１の電極６１１と、第１の電極６１１の対向位置に配置される第２の電極６１３と、第１の電極６１１と第２の電極６１３との間に配置される発光層６１２と、を含んで構成される。ここで、第１の電極６１１、第２の電極６１３に対しては、電源ケーブル６２が接続されており、第１の電極６１１および第２の電極６１３に対して電圧を印加可能な構成となっている。
本実施形態における基板６０は、ガラスなどの透明な材料にて構成され光透過性を有している。また基板６０は、長尺状に形成されるとともに、その長手方向が主走査方向に沿うように配置されている。
【００１７】
発光部６１は、基板６０の裏面側（第１ミラー５７Ａ（図１参照）側）に配置されている。但し、発光部６１は、基板６０の裏面全てを覆うわけではなく、基板６０の外縁部に沿うように配置されている。このため、発光部６１は、副走査方向において、基板６０の一端部側における第１の長尺領域６０ａに形成される第１の発光領域６１ａと、この第１の発光領域６１ａとは所定の間隙をおいて配置され基板６０の他端部側における第２の長尺領域６０ｂに形成される第２の発光領域６１ｂとを備える。ここで、第１の長尺領域６０ａと第２の長尺領域６０ｂとは所定の間隙を有して配置されるとともに、互いに略平行に配置されている。また、第１の長尺領域６０ａと第２の長尺領域６０ｂは、主走査方向に沿って配置されている。このため、第１の発光領域６１ａおよび第２の発光領域６１ｂも主走査方向に沿って長尺状に形成される。
【００１８】
また、発光部６１は、主走査方向において、基板６０の一端部側に形成される第３の発光領域６１ｃと、この第３の発光領域６１ｃとは所定の間隙をおいて配置され基板６０の他端部側に形成される第４の発光領域６１ｄとを備えている。
なお、発光部６１における上記第１の電極６１１、第２の電極６１３の各々は、第１の発光領域６１ａ、第２の発光領域６１ｂ、第３の発光領域６１ｃ、および第４の発光領域６１ｄにおいて個別に設けられているわけではなく、単一の電極として設けられている。換言すれば、第１の発光領域６１ａ、第２の発光領域６１ｂ、第３の発光領域６１ｃ、および第４の発光領域６１ｄの各々は、共通の第１の電極６１１および第２の電極６１３を有している。
【００１９】
また、本実施形態における発光素子５５には、第１の発光領域６１ａと第２の発光領域６１ｂとの間、および、第３の発光領域６１ｃと第４の発光領域６１ｄとの間に、基板６０により構成される光透過性領域６４が形成される。なお、光透過性領域６４は、矩形状に形成され、且つ主走査方向に沿った長尺状に形成されている。ここで、上記第１の発光領域６１ａと第２の発光領域６１ｂは、副走査方向において、光透過性領域６４の両側に配置されていると捉えることができる。なお、図２（ａ）では、第１の発光領域６１ａ、第２の発光領域６１ｂ、第３の発光領域６１ｃ、および第４の発光領域６１ｄを設けた例を説明したが、同図（ｂ）に示すように、第４の発光領域６１ｄを設けない構成とすることもできる。
【００２０】
また、発光部６１は、同図（ｃ）に示すように、副走査方向において分割して配置することもできる。即ち、発光部６１は、基板６０の副走査方向における一端部側と、基板６０の副走査方向における他端部側に配置することができる（以下、一端部側の「発光部６１」を「一端部側発光部６１」と称し、他端部側の「発光部６１」を「他端部側発光部６１」と称する）。換言すれば、上記第３の発光領域６１ｃおよび第４の発光領域６１ｄを設けず、上記第１の発光領域６１ａおよび第２の発光領域６１ｂのみを設ける構成とすることもできる。
【００２１】
同図（ｃ）に示す形態の場合、一般的に、一端部側発光部６１における第１の電極６１１および第２の電極６１３に電源ケーブル６２が接続され、また、他端部側発光部６１における第１の電極６１１および第２の電極６１３に電源ケーブル６２が接続される。但し、このような構成に限らず、一端部側発光部６１における第１の電極６１１と他端部側発光部６１における第１の電極６１１とを電気的に接続し、一端部側発光部６１における第２の電極６１３と他端部側発光部６１における第２の電極６１３とを電気的に接続すれば、一方の発光部６１にのみ電源ケーブル６２を接続することができる。
【００２２】
なお、発光素子５５は、図３に示すような態様とすることもできる。ここで、図３は、発光素子５５の比較例を示したものである。
発光素子５５は、同図（ａ）に示すように、基板６０を含め、その形状を略コの字状とすることもできる。しかしながら、この場合、基板６０を複雑な形状にカットする必要があるため作成に手間を要すことになる。また、強度が低下し破損しやすくなってしまう。
【００２３】
さらに、同図（ｂ）に示すように、発光素子５５を、副走査方向に分割して配置された第１の発光素子５５Ａと第２の発光素子５５Ｂとにより構成することもできる。しかしながら、基板６０の幅が小さくなるため、この場合も強度が低下し破損しやすくなってしまう。さらに、第１の発光素子５５Ａおよび第２の発光素子５５Ｂの各々を位置決めする必要が生じ、手間を要することになる。即ち、フルレートキャリッジ５３に対して発光素子５５の設置を行う際には、アライメント等の精度を確保しながら取り付けを行う必要があるが、発光素子５５が分割され２つ存在する場合には、各々の精度を確保する必要がある。このため、発光素子５５が単一である場合に比べ、手間を要するようになる。さらに、発光素子５５の分割を行うと、各々の発光素子に対して電源ケーブル６２を接続する必要がある。
【００２４】
ここで、図１に戻り、読み取り装置５０についてさらに説明する。読み取り装置５０は、さらに、結像用レンズ５８およびＣＣＤイメージセンサ５９を備えている。これらのうち、結像用レンズ５８は、第３ミラー５７Ｃから得られた光学像を光学的に縮小する。また、ＣＣＤイメージセンサ５９は、結像用レンズ５８によって結像された光学像を光電変換する。つまり、読み取り装置５０では、所謂縮小光学系を用いてＣＣＤイメージセンサ５９に像を結像させている。また、読み取り装置５０は、第１プラテンガラス５２Ａと第２プラテンガラス５２Ｂとの間に、原稿送り装置１０において搬送される原稿を案内するガイド５６Ａが形成されており、このガイド５６Ａの下部には、主走査方向に沿って伸びる白基準板５６Ｂが装着されている。
【００２５】
また、読み取り装置５０は、制御・画像処理ユニット７０をさらに備える。制御・画像処理ユニット７０は、ＣＩＳユニット８０に設けられるイメージセンサ（不図示）およびＣＣＤイメージセンサ５９から入力される原稿の画像データに、所定の処理を施す。また、制御・画像処理ユニット７０は、画像読み取り装置（原稿送り装置１０、読み取り装置５０、およびＣＩＳユニット８０）の読み取り動作における各部の動作を制御する。
【００２６】
さらに、読み取り装置５０は、副走査方向における一端部に、発光素子５５における上記基板６０表面の清掃を行う清掃部（清掃手段）７１を備えている。本実施形態では、原稿からの反射光の光路となる部分に光透過性領域６４（図２参照）が形成されている。そして、この光透過性領域６４は上述のとおり基板６０により構成される。このため、この光透過性領域６４における基板６０に埃等が付着してしまうと、ＣＣＤイメージセンサ５９に達する光の光量が低下するなどの不具合が生じるおそれがある。そこで、本実施形態では、清掃部７１により基板６０の清掃を行うこととしている。
【００２７】
ここで清掃部７１は、装置フレーム５１の上部に固定され主走査方向に沿って長尺状に設けられたブラシ部材７２により構成されている。接触部材としてのブラシ部材７２は、基板６０の表面に接触し基板６０の表面に付着した埃などの付着物を除去する。なお、ブラシ部材７２による清掃は、例えば、図中Ａに示す位置までフルレートキャリッジ５３を移動させることで行うことができる。なお、本実施形態では、ブラシ部材７２を副走査方向における一端部に設けたが、他端部側に設けることも可能であり、その位置は特に問わない。本実施形態では、清掃部７１を駆動させる駆動源を別途設けずとも基板６０の清掃を行うことが可能となる。
【００２８】
なお、清掃部７１は、図４に示すような構成とすることもできる。ここで図４は、清掃部７１の他の態様を示したものである。
本態様における清掃部７１は、駆動源としてのモータ７３と、螺旋状に形成された突起７４ａを外周面に有しモータ７３により回転駆動するシャフト７４と、シャフト７４をその両端で支持する支持部材７７と備える。また、基板６０に接触するブラシ部材７５と、シャフト７４が貫通配置されブラシ部材７５を支持する支持部材７６と、支持部材７６のスライドをガイドするガイド部材（不図示）を備える。
ここで、シャフト７４は主走査方向に沿って配置されている。また、支持部材７６は、主走査方向に沿って貫通配設された貫通孔７６ａを備えている。さらに、支持部材７６は、貫通孔７６ａの内周面（不図示）に、シャフト７４に形成された上記突起７４ａが嵌り込む螺旋状の溝（不図示）を有している。
【００２９】
ここで、基板６０の清掃を行う場合には、まず清掃部７１の下方にフルレートキャリッジ５３（図１参照）を移動させる。そして、モータ７３を駆動させシャフト７４を一方向に回転駆動させると、突起７４ａと上記溝（不図示）との噛み合いによって、支持部材７６は、例えば、図中Ｃに示す方向にスライドする。この結果、ブラシ部材７５も図中Ｃに示す方向にスライドし、基板６０の表面が清掃される。また、モータ７３によりシャフト７４を他方向に回転駆動させると、突起７４ａと上記溝（不図示）との噛み合いによって、支持部材７６は、図中Ｄに示す方向にスライドする。この結果、ブラシ部材７５も図中Ｄに示す方向にスライドし、基板６０の表面が清掃される。
【００３０】
ここで、図１に戻り、原稿の読み取りを行う場合について説明する。例えば、第１プラテンガラス５２Ａに置かれた原稿の画像を読み取る場合には、フルレートキャリッジ５３とハーフレートキャリッジ５４とが、２：１の割合でスキャン方向(矢印方向)に移動する。このとき、フルレートキャリッジ５３における発光素子５５（発光部６１）から原稿の被読み取り面に対して光が照射される。そして、原稿からの反射光が、光透過性領域６４（図２参照）を透過するとともに、第１の発光領域６１ａと第２の発光領域６１ｂとの間の間隙を通過し、第１ミラー５７Ａにて反射される。
【００３１】
その後、反射光は、第２ミラー５７Ｂ、および第３ミラー５７Ｃの順に反射されて結像用レンズ５８に導かれる。そして、結像用レンズ５８に導かれた光は、ＣＣＤイメージセンサ５９の受光面に結像される。ＣＣＤイメージセンサ５９は１次元のセンサであり、１ライン分を同時に処理している。そして、このライン方向(スキャンの主走査方向)の１ラインの読み取りが終了すると、主走査方向とは直交する方向（副走査方向）にフルレートキャリッジ５３は移動し、原稿の次のラインを読み取る。これを原稿サイズ全体に亘って実行することで、１ページの原稿読み取りが完了する。ここで、上記光透過性領域６４と、第１の発光領域６１ａと第２の発光領域６１ｂとの間の上記間隙とは、原稿からの反射光の光路となるスリット領域として捉えることができる。
【００３２】
一方、原稿送り装置１０によって搬送される原稿の画像を読み取る場合には、原稿送り装置１０によって搬送される原稿が第２プラテンガラス５２Ｂの上を通過する。このとき、フルレートキャリッジ５３とハーフレートキャリッジ５４とは、図１に示す実線の位置に停止した状態にある。そして、原稿送り装置１０のプラテンロール１７を経た原稿の１ライン目の反射光が、光透過性領域６４を透過し、その後第１ミラー５７Ａ、第２ミラー５７Ｂ、および第３ミラー５７Ｃを経て結像用レンズ５８に導かれる。
【００３３】
そして、反射光は結像用レンズ５８にて結像され、ＣＣＤイメージセンサ５９によって画像が読み込まれる。そして、１次元のセンサであるＣＣＤイメージセンサ５９によって主走査方向の１ライン分が同時に処理された後、原稿送り装置１０によって搬送される原稿の次の主走査方向の１ラインが読み込まれる。その後、原稿の後端が、第２プラテンガラス５２Ｂの読み取り位置を通過することによって、副走査方向に亘って１ページの読み取りが完了する。ここで、本実施の形態では、ＣＣＤイメージセンサ５９により原稿の第一面の読み取りを行うときに、同時にＣＩＳユニット８０によって、原稿の第二面の読み取りを行うこともできる。
【００３４】
―第２の実施形態―
上記第１の実施形態では、フルレートキャリッジ５３およびハーフレートキャリッジ５４を備えた画像読み取り装置１について説明した。第２の実施形態では、発光素子、ミラー、結像用レンズおよびＣＣＤイメージセンサが単一のハウジングにより支持されるユニット走査方式を用いた画像読み取り装置１について説明する。
【００３５】
ここで、図５は、第２の実施形態における画像読み取り装置１を示したものである。
本実施形態における画像読み取り装置１は、第１の実施形態における画像読み取り装置１と同様に、積載された原稿束から原稿を順次搬送する原稿送り装置１０と、スキャンによって画像を読み込む読み取り装置５０とを備えている。ここで、原稿送り装置１０については、第１の実施形態と同様に構成することができる。このため、第２の実施形態については、読み取り装置５０を中心に説明を行う。
【００３６】
読み取り装置５０は、第１の実施形態と同様に、第１プラテンガラス２１Ａと、第２プラテンガラス２１Ｂとを備えている。また、読み取り装置５０は、第１プラテンガラス２１Ａに載せられた原稿や原稿送り装置１０によって搬送される原稿の読み取りを行う読み取りユニット（画像読み取りユニット）２２と、この読み取りユニット２２を収容する装置フレーム２３とを有している。ここで、装置フレーム２３は、発光素子（ＥＬ素子）５５および後述するＣＣＤイメージセンサ４３を内部に収納する筐体として捉えることができる。
【００３７】
読み取りユニット２２は、第１の実施形態と同様に構成された発光素子５５と、原稿から得られた反射光を受光し反射する第１ミラー４１Ａが設けられている。さらに、読み取りユニット２２には、第１ミラー４１Ａから得られた光を結像部へ提供する第２ミラー４１Ｂ、第３ミラー４１Ｃ、および第４ミラー４１Ｄが設けられている。また、読み取りユニット２２は、結像用レンズ４２およびＣＣＤイメージセンサ４３を備えている。これらのうち、結像用レンズ４２は、第４ミラー４１Ｄから得られた光学像を光学的に縮小する。また、ＣＣＤイメージセンサ４３は、結像用レンズ４２によって結像された光学像を光電変換する。つまり、本実施形態における読み取り装置５０でも、所謂縮小光学系を用いてＣＣＤイメージセンサ４３に像を結像させている。
【００３８】
また、読み取りユニット２２は、発光素子５５、第１ミラー４１Ａ〜第４ミラー４１Ｄ、結像用レンズ４２、およびＣＣＤイメージセンサ４３を保持するハウジング４０を備えている。ここで、ハウジング４０は、第１ミラー４１Ａ〜第４ミラー４１Ｄ、結像用レンズ４２、およびＣＣＤイメージセンサ４３を内部に保持する。また、ハウジング４０は、発光素子５５とともに読み取りユニット２２の内部と外部とを遮断し、読み取りユニット２２を密閉構造としている。ここで、読み取りユニット２２は、図中背面側に位置し図中矢印Ｘで示す副走査方向に延びるガイドシャフト２７によって、副走査方向にガイドされる構成となっている。
【００３９】
なお、本実施形態における発光素子５５は、上述のとおり、光透過性領域６４が基板６０により形成される構成となっている。ここで、発光素子５５は、図３に示したように、光透過性領域６４に相当する部分に基板６０が配置されない構成とすることもできる。しかしながら、この場合、読み取りユニット２２を密閉構造とすることができず、読み取りユニット２２の内部に埃などが進入しやすくなってしまう。
【００４０】
装置フレーム２３は、第１プラテンガラス２１Ａおよび第２プラテンガラス２１Ｂを保持する第１の装置フレーム２３Ａと、第１の装置フレーム２３Ａとともに読み取りユニット２２を収容する第２の装置フレーム２３Ｂと、を有する。そして、第１の装置フレーム２３Ａと第２の装置フレーム２３Ｂとは、画像読み取り装置１の外観を構成している。ここで、第２の装置フレーム２３Ｂには、ガイドシャフト２７の両端をそれぞれ保持する軸受部２４が設けられている。
【００４１】
ここで、第１の装置フレーム２３Ａの所定位置に配置された第２プラテンガラス２１Ｂは、図中一点鎖線で示すように、第１の装置フレーム２３Ａから取り外し可能となっている。そして、第１の装置フレーム２３Ａから第２プラテンガラス２１Ｂを取り外した場合には、装置フレーム２３の外部から内部に通じる開口が開成される。このため、読み取りユニット２２を移動させ、開口の下方に発光素子５５における基板６０（図２参照）を位置させれば、この開口を通じ外部から基板６０（光透過性領域６４）の清掃することが可能となる。
【００４２】
なお、本実施形態では、第２プラテンガラス２１Ｂが取り外し可能な場合を説明したが、ヒンジ等を設け、第２プラテンガラス２１Ｂが第１の装置フレーム２３Ａに対し開閉する構成とすることもできる。第２プラテンガラス２１Ｂは、通常、装置フレーム２３とは別部品で構成されており、また、第２プラテンガラス２１Ｂが取り付けられる箇所には光路確保のために開口が予め形成されている。このため、第２プラテンガラス２１Ｂを利用した開口の形成は比較的簡易に行うことができる。
なお、開口の形成は、第２プラテンガラス２１Ｂによらず、例えば、開閉可能な蓋部材２８により行うこともできる。本実施形態におけるこの蓋部材２８は、第１の装置フレーム２３Ａの上部にヒンジ２８ａを介して取り付けられており、第１の装置フレーム２３Ａに対して開閉可能な構成となっている。
【００４３】
一方、第２の装置フレーム２３Ｂには、読み取りユニット２２のハウジング４０の底部に取り付けられた摺動部材４０ａと接触して読み取りユニット２２を支持するとともに、読み取りユニット２２を副走査方向にガイドするガイドレール２５が備えられている。なお、このガイドレール２５は、図中前面側に位置している。さらに、第２の装置フレーム２３Ｂには、ガイドレール２５を保持するレール受部２６が設けられている。なお、本実施形態および第１の実施形態における画像読み取り装置１では、原稿送り装置１０が設けられた構成を一例に説明したが、原稿送り装置１０に替え、第１プラテンガラス２１Ａ（第１プラテンガラス５２Ａ（図１参照））上に置かれた原稿を押さえるプラテンカバー（不図示）を設ける構成とすることも可能である。
【００４４】
本画像読み取り装置１において、第１プラテンガラス２１Ａに載せられた原稿の画像が読み取られる場合、読み取りユニット２２は、駆動モータ（不図示）により駆動される例えばベルト部材（不図示）によって図中Ｘ方向に示す副走査方向に移動する。なお、この際読み取りユニット２２は、ガイドシャフト２７およびガイドレール２５によりガイドされる。そして、発光素子５５における発光部６１（図２参照）からの光が原稿の被読み取り面に照射されるとともに、原稿からの反射光が光透過性領域６４（図２参照）を透過する。
【００４５】
そして、光透過性領域６４を通過した光は、第１ミラー４１Ａ、第２ミラー４１Ｂ、および第３ミラー４１Ｃ、第４ミラー４１Ｄの順に反射されて結像用レンズ４２に導かれる。そして、結像用レンズ４２に導かれた光は、ＣＣＤイメージセンサ４３の受光面に結像される。ＣＣＤイメージセンサ４３は、第１の実施形態と同様に、１次元のセンサであり、１ライン分を同時に処理している。このライン方向(スキャンの主走査方向)の１ラインの読み取りが終了すると、主走査方向とは直交する方向（副走査方向）に読み取りユニット２２は移動し、原稿の次のラインを読み取る。これを原稿サイズ全体に亘って実行することで、１ページの原稿読み取りが完了する。
【００４６】
一方、原稿送り装置１０によって搬送される原稿の画像を読み取る場合には、原稿送り装置１０によって搬送される原稿が第２プラテンガラス２１Ｂの上を通過する。このとき、読み取りユニット２２は、第２プラテンガラス２１Ｂの下方に配置される。そして、原稿送り装置１０のプラテンロール１７（図１参照）を経た原稿の１ライン目の反射光が、光透過性領域６４（図２参照）を透過し、その後第１ミラー４１Ａ、第２ミラー４１Ｂ、第３ミラー４１Ｃ、および第４ミラー４１Ｄを経て結像用レンズ４２に導かれる。そして、結像用レンズ４２にて結像され、ＣＣＤイメージセンサ４３によって画像が読み込まれる。
【００４７】
そして、１次元のセンサであるＣＣＤイメージセンサ４３によって主走査方向の１ライン分が同時に処理された後、原稿送り装置１０によって搬送される原稿の次の主走査方向の１ラインが読み込まれる。そして、原稿の後端が、第２プラテンガラス２１Ｂの読み取り位置を通過することによって、副走査方向に亘って１ページの読み取りが完了する。
なお、上記第１の実施形態および本実施形態に示した構成は、本発明の趣旨を逸脱しない限り、互いに組み合わせることができる。
【図面の簡単な説明】
【００４８】
【図１】第１の実施形態が適用される画像読み取り装置の構成例を示す図である。
【図２】発光素子を示したものである。
【図３】発光素子の比較例を示したものである。
【図４】清掃部の他の態様を示したものである。
【図５】第２の実施形態における画像読み取り装置を示したものである。
【符号の説明】
【００４９】
２１Ｂ…第２プラテンガラス、２２…読み取りユニット、２３…装置フレーム、４１Ａ…第１ミラー、４１Ｂ…第２ミラー、４１Ｃ…第３ミラー、４１Ｄ…第４ミラー、４３…ＣＣＤイメージセンサ、５５…発光素子、５９…ＣＣＤイメージセンサ、６０…基板、６０ａ…第１の長尺領域、６０ｂ…第２の長尺領域、６１ａ…第１の発光領域、６１ｂ…第２の発光領域、６４…光透過性領域、７１…清掃部、７２…ブラシ部材、６１１…第１の電極、６１３…第２の電極
【図１】
2009147404.tif 000003
【図２】
2009147404.tif 000004
【図３】
2009147404.tif 000005
【図４】
2009147404.tif 000006
【図５】
2009147404.tif 000007